(57)【特許請求の範囲】
【請求項１】
点火キャップ（１６）と、
延時薬ホルダ（１２）内に設けられ、前記点火キャップ（１６）によって点火され得る延時薬（１３）と、
起爆薬ホルダ（１１）内に設けられ、前記延時薬（１３）によって点火され得る起爆薬（１０）と、
手榴弾装薬を点火するために、前記起爆薬によって点火され得る伝爆薬（９）と、を備え、
前記起爆薬ホルダ（１１）は、揺動し得るように構成され、前記第１位置に配設されている前記延時薬ホルダ（１２）は、休止位置の前記起爆薬ホルダ（１１）の揺動運動を阻止し、前記休止位置において、前記起爆薬（１０）は、前記伝爆薬（９）と前記延時薬（１３）とに沿って配設されておらず、これにより、前記延時薬（１３）の燃焼が前記起爆薬（１０）を点火することができず、前記起爆薬（１０）の爆発は前記伝爆薬（９）を点火することができず、
前記延時薬ホルダ（１２）は、熱によって解放され得る連結部によって前記第１位置に保持され、
熱によって解放され得る前記連結部は、前記延時薬（１３）の燃焼が熱によって解放され得る前記連結部を解放させて、少なくとも１つの圧力が加えられたバネからの力の作用の影響下で、前記延時薬ホルダ（１２）に前記起爆薬ホルダ（１１）の揺動運動の阻止が停止される第２位置をとらせる、ように配設され、これにより、前記起爆薬ホルダ（１１）を前記休止位置から作動位置に揺動させ、その結果として、前記起爆薬（１０）は前記伝爆薬（９）と前記延時薬（１１）とに沿って配設され、前記起爆薬（１０）は前記延時薬（１３）の燃焼によって点火され、ここから生じる前記起爆薬（１０）の爆発が前記伝爆薬（９）を点火する、ことを特徴とする手榴弾の信管。
【請求項２】
前記延時薬ホルダ（１２）は、設けられたスライダ（２３）とともに、熱によって解放され得る前記連結部によって前記第１位置に保持され、
前記スライダ（２３）は、熱によって解放され得る前記連結部の解放が力の作用の影響下で前記スライダ（２３）に第３位置をとらせる、ように配設され、
前記第３位置をとる結果として、前記スライダ（２３）は、前記起爆薬ホルダ（１１）を、前記休止位置から前記作動位置に揺動させることを特徴とする請求項１に記載の手榴弾の信管。
【請求項３】
前記起爆薬ホルダ（１１）は、本質的に球形であることを特徴とする請求項１または２に記載の手榴弾の信管。
【請求項４】
前記起爆薬ホルダ（１１）は、とりわけ管路（２４）の形態の開口部を有し、当該開口部を介して、前記起爆薬（１０）は、燃焼している延時薬（１３）によって点火され得ることを特徴とする請求項１乃至３のいずれかに記載の手榴弾の信管。
【請求項５】
前記起爆薬ホルダ（１１）と前記延時薬ホルダ（１２）との間であって、前記延時薬ホルダ（１２）に、穴を有する支持ディスク（２１）が配設され、
前記起爆薬ホルダ（１１）は、揺動運動を阻止するために、前記支持ディスク（２１）が前記延時薬ホルダ（１２）によって保持される平坦部（２６）を有していることを特徴とする請求項１乃至４のいずれかに記載の手榴弾の信管。
【請求項６】
熱によって解放され得る前記連結部は、はんだ付けされた連結部であることを特徴とする請求項１乃至５のいずれかに記載の手榴弾の信管。
【請求項７】
前記点火キャップ（１６）を打つために撃鉄（４）が設けられ、
初期位置で前記撃鉄（４）を保持するために固定グリップ（６）が設けられ、
前記延時薬ホルダ（１２）は、前記グリップ（６）によって、または、前記グリップ（６）により保持された安全要素によって前記第１位置に固定され、
前記グリップ（６）、および、存在する場合の前記安全要素は、前記安全要素を取り除くこと、および、前記グリップ（６）を解放することが、前記延時薬ホルダ（１２）の安全性を停止させる、ように構成されていることを特徴とする請求項１乃至６のいずれかに記載の手榴弾の信管。
【請求項８】
前記撃鉄（４）は、揺動し得るように取り付けられ、バネ、とりわけ圧力が加えられたねじりバネ（２）またはらせん脚バネ（helical leg spring）が設けられ、前記安全要素が取り除かれて前記グリップ（６）が解放される場合に、前記撃鉄（４）に揺動運動で前記点火キャップ（１６）を打たせて点火させることを特徴とする請求項７に記載の手榴弾の信管。
【請求項９】
前記グリップ（６）、および、存在する場合の前記安全要素、および／または、前記手榴弾の信管は、前記安全要素を取り除くことおよび前記グリップ（６）を解放することが、前記グリップ（６）および存在する場合の前記安全要素を前記手榴弾の信管から解放させる、ように構成されていることを特徴とする請求項７または８に記載の手榴弾の信管。
【請求項１０】
請求項１乃至９のいずれかに記載の手榴弾の信管を有する手榴弾。
【発明の詳細な説明】
【技術分野】
【０００１】
本発明は、点火キャップと、延時薬ホルダ内に設けられ、点火キャップによって点火され得る延時薬と、起爆薬ホルダ内に設けられ、延時薬によって点火され得る起爆薬と、手榴弾装薬を点火するために、起爆薬によって点火され得る伝爆薬と、を備えた手榴弾の信管に関する。
【背景技術】
【０００２】
このような手榴弾の信管は、先行技術にて知られている。ここでは、点火キャップの点火が、延時薬を点火させる。起爆薬ホルダは、はんだ付けされた連結部によって延時薬に固定されている。延時薬が燃焼している間、はんだ付けされた連結部は解放され、起爆薬ホルダは、圧力が加えられた渦巻バネの力によって移動し、起爆薬ホルダ内に収容されている起爆薬は、インサート内に位置付けられる。燃焼している延時薬から発せられる火炎ジェットによって起爆薬が点火されると、起爆薬の爆発はインサートを取り除き、インサートによって覆われている伝爆薬を点火させる。
【発明の概要】
【０００３】
起爆薬ホルダがはんだ付けされた連結部によって固定された位置にある場合には、起爆薬の爆発がインサートを取り除かず、これにより伝爆薬が点火されないという点において、この手榴弾の信管には、ある程度の安全性が確保されている。しかしながら、この手榴弾の信管は、意図されていない場合であっても、例えば熱の影響の結果として、裸火が発生し、点火キャップの点火が、絶えず伝爆薬を点火させて、これにより手榴弾装薬の点火をもたらすという欠点を有している。
【０００４】
発射装置によって点火された榴弾の場合には、通常の慣行で、安全性を増大させるための安全要素が設けられている。当該安全要素は、例えば回転力など、発射中に生じる所定の力によってのみ操作不可能となる。しかしながら、このようにして定義された力は、手榴弾の使用には利用できない。手榴弾のために先行技術において知られている電気的な安全要素は、製造するのに費用がかかる。また、長期信頼性に疑問が残る。
【０００５】
本発明の課題は、上述した機械的な手榴弾の信管よりも不意な作動に対してより良い安全性をもたらすコスト効率が良い手榴弾の信管を提供することである。１つの狙いは、点火キャップの不意な点火が、伝爆薬の点火を自動的に招かないようにすることである。点火キャップは、例えば、手榴弾が直火にさらされるいわゆる“速い過熱爆発（fast cook off）”の場合に、不意に点火される。他の狙いは、このような信管を有する手榴弾を提供することである。
【０００６】
この課題は、請求項１および１０の特徴によって達成される。好都合な改良は、請求項２〜９の特徴から生じる。
【０００７】
本発明によれば、手榴弾の信管は、点火キャップと、延時薬ホルダ内に設けられ、点火キャップによって点火され得る延時薬と、起爆薬ホルダ内に設けられ、延時薬によって点火され得る起爆薬と、手榴弾装薬を点火するために、起爆薬によって点火され得る伝爆薬と、を備えている。ここでは、起爆薬ホルダは、揺動し得るように構成されている。第１位置に配設されている延時薬ホルダは、休止位置の起爆薬ホルダの揺動運動を阻止する。休止位置において、起爆薬は、伝爆薬と延時薬とに沿って配設されておらず、これにより、延時薬の燃焼が起爆薬を点火することができず、起爆薬の爆発は伝爆薬を点火することができない。延時薬ホルダは、熱によって解放され得る連結部によって第１位置に保持されている。熱によって解放され得る連結部は、例えば、プラスチックの連結部であってもよいが、ワックスまたは接着剤の連結部であってもよい。プラスチック、ワックス、および／または接着剤の組み合わせはあり得る。熱によって解放され得る連結部は、延時薬の燃焼が熱によって解放され得る連結部を解放させて、例えば少なくとも１つの圧力が加えられたバネからの力の作用の影響下で、延時薬ホルダに起爆薬ホルダの揺動運動の阻止が停止される第２位置をとらせる、ように配設され、これにより、起爆薬ホルダを休止位置から作動位置に揺動させる。（少なくとも１つの圧力が加えられたバネの代わりに、圧力、とりわけガス圧力によって力の作用を発生させることもできる。）この結果として、起爆薬は伝爆薬と延時薬とに沿って配設され、起爆薬は延時薬の燃焼によって点火され、ここから生じる起爆薬の爆発が伝爆薬を点火する。一例として、一度阻止が停止されると、起爆薬ホルダは、圧力が加えられたバネの力によって揺動され得る。
【０００８】
本発明による手榴弾の信管のために起爆薬の爆発によって乗り越えなければならない起爆薬とインサートとの間の安全距離を設ける必要性が無いため、本発明による信管は、同一の横断面を有する従来の手榴弾の信管よりも大幅に短くすることができる。また、本発明による信管は、従来の手榴弾の信管よりも、重量を小さくし、部品を少なくし、低コストで生産され得る。
【０００９】
しかしながら、本発明による手榴弾の信管の主要な利点は、点火キャップの不意な点火が、延時薬の燃焼、起爆薬の爆発および伝爆薬の点火によって点火の連鎖の完全な順番を必ずしももたらすわけではないということである。この目的のために、確実にするのに必要な全てのことは、延時薬ホルダが第１位置に固定され、これにより、延時薬が燃焼している場合に、燃焼中に放出された熱の結果として、熱によって解放され得る連結部の可能性のあるほんの一時的な解放でさえも、延時薬ホルダに第２位置をとらせ得るようにもたらさないことである。したがって、起爆薬ホルダの揺動運動の阻止は維持され、燃焼している延時薬は、起爆薬を点火することができない。これにより、点火の連鎖は、遮断される。このため、本発明による手榴弾の信管は、従来の手榴弾の信管より大幅に安全になる。
【００１０】
本発明の一の改良では、延時薬ホルダは、設けられたスライダとともに、熱によって解放され得る連結部によって第１位置に保持される。この場合、スライダは、熱によって解放される連結部の解放が、例えば圧力が加えられたバネの力の作用の影響下で、スライダに第３位置をとらせる、ように配設され、第３位置をとる結果として、スライダは、起爆薬ホルダを、休止位置から作動位置に揺動させる。この構成は、起爆薬ホルダを揺動させるために他のバネが不要となることを意味している。これにより、手榴弾の信管の構成が、簡素化される。したがって、手榴弾の信管は、さらに好適に生産され得る。
【００１１】
起爆薬ホルダは、本質的に球形であってもよい。このことにより、起爆薬ホルダは、特に簡素な方法で、コスト効率良く、信頼性良く、揺動し得るように取り付けられ得る。この場合の“本質的に”は、使用される、球形形状からの比較的微小な逸脱は、例えば、スライダの係合のために、または、揺動運動の阻止のために可能であることを意味している。
【００１２】
本発明による他の改良では、起爆薬ホルダは、とりわけ管路の形態の開口部を有し、当該開口部を介して、起爆薬は、燃焼している延時薬によって点火され得る。開口部を設けることは、本発明による手榴弾の信管の安全性を更に向上させることを可能にする。なぜなら、延時薬から発せられる火炎ジェットまたは点火ジェットは、起爆薬を点火するために、開口部に正確にインパクトを与えなければならないからである。
【００１３】
本発明による手榴弾の信管においては、起爆薬ホルダと延時薬ホルダとの間であって、延時薬ホルダに、穴を有する支持ディスクが配設され得る。この場合、起爆薬ホルダは、揺動運動を阻止するために、支持ディスクが延時薬ホルダによって保持される平坦部を有している。支持ディスクを設けることは、揺動運動を防止するために、起爆薬ホルダの比較的大きな領域が阻止されることを意味している。この手段は、本発明による手榴弾の信管の安全性を更に向上させる。支持ディスク内の穴は、燃焼している延時薬から発せられる火炎ジェットが穴を通って起爆薬に到達して起爆薬を点火し得るために必要である。
【００１４】
熱によって解放され得る連結部は、はんだ付けされた連結部であってもよい。このことにより、信頼性良く、かつ、比較的コスト効率良く生産され得る。
【００１５】
本発明による手榴弾の信管の一の改良では、点火キャップを打つために撃鉄が設けられ、初期位置で撃鉄を保持するために固定グリップが設けられている。この場合、延時薬ホルダは、グリップによって、または、グリップにより保持された安全要素によって第１位置に固定される。グリップ、および、存在する場合の安全要素は、安全要素を取り除くこと、および、グリップを解放することが、延時薬ホルダの安全性を停止させる、ように構成されている。この改良は、グリップが固定されている場合に、手榴弾が不意に点火されることを信頼性良く防止する。点火キャップおよび延時薬の点火でさえも、起爆薬および伝爆薬を点火させない。なぜなら、熱によって解放され得る連結部が延時薬の燃焼によって解放される場合であっても、延時薬ホルダは第１位置から出ることができないからである。しかしながら、手榴弾が正しく作動可能になって投げられ、これによりグリップが解放された場合、延時薬ホルダは第２位置をとることができ、実用的な点火連鎖が発生され得る。
【００１６】
撃鉄は、揺動し得るように取り付けられ得る。また、圧力が加えられたねじりバネが、設けられ得る。当該バネは、安全要素が取り除かれてグリップが解放される場合に揺動運動で撃鉄に点火キャップを打たせて点火させる。
【００１７】
グリップ、および、存在する場合の安全要素、および／または、手榴弾の信管は、安全装置を取り除くことおよびグリップを解放することが、グリップおよび存在する場合の安全要素を手榴弾の信管から解放させる、ように構成され得る。このような改良は、当業者にとって問題なく設けられ得る。例えば、グリップは、バネによって反対側の支点に押し付けられているハーフシェル（half shell）の形態で取り付けられていてもよい。手榴弾が投げられる場合に変化した位置を有するグリップのためにバネ力が無い場合、このようなグリップは、反対側の支点で保持されることを中断し、手榴弾の信管から解放される。
【００１８】
また、本発明は、本発明による手榴弾の信管を有する手榴弾に関している。
【００１９】
本発明は、一例としての実施の形態に関する以下の記述と図面にて、詳細に説明される。
【図面の簡単な説明】
【００２０】
【図１】図１は、従来技術による手榴弾の信管を示す図である。
【図２】図２は、グリップを備えた本発明による手榴弾の信管を示す図である。
【図３】図３は、撃鉄が点火キャップを打った時の本発明による手榴弾の信管を示す図である。
【図４】図４は、熱によって解放され得る連結部が解放された後すぐの、延時薬が燃焼している間の本発明による手榴弾の信管を示す図である。
【図５】図５は、延時薬によって点火される少し前の、作動位置に揺動された起爆薬ホルダを有する本発明による手榴弾の信管を示す図である。
【発明を実施するための形態】
【００２１】
図１に示されているような従来技術による手榴弾の信管の場合、まず初めに、オプションとしての安全クリップ１とリング３を有する安全ピンを取り除くことにより、保護シュラウド１８はもはや保持されなくなり、その結果として、保護シュラウド１８は離れ落ちる。一度グリップ６が解放されると、揺動し得るように配設された撃鉄４が、予め圧力が加えられたねじりバネ２の力によって移動する。その過程の間、グリップ６は解放される。撃鉄は点火キャップ１６を打ち、これによりそれを点火する。
【００２２】
点火された点火キャップ１６は、延時薬１３を起動する。当該延時薬１３は、点火キャップ１６から始まって約３．５秒以内で燃え尽きる。延時薬内の火の前部がはんだ点２０に到達するとすぐに、それによって発生した熱が、ねじリング１４のはんだを取り除く。その後、圧力が加えられたらせんバネ５の力が、インサート１９によって形成された当接部まで起爆薬ホルダ１１を押す。この間、延時薬ホルダ１２は同じ位置にとどまる。これにより、起爆薬１０によってそれまで閉ざされて保持されているフラップバルブ８が解放される。延時薬ホルダの下側端部に配設され、２つの穴を有する圧縮パン７に火の前部が到達すると、圧縮パンは、起爆薬の方向に点火ジェットを発生させ、フラップバルブ８を押し開く。点火ジェットは、起爆薬１０へのギャップを越えて起爆薬を点火する。起爆薬が点火されると、起爆薬は、インサート１９を貫き、これにより伝爆薬９を点火する。その後、伝爆薬９は、ここでは図示されていない手榴弾装薬を点火する。
【００２３】
点火キャップ１６が、例えば手榴弾全体が激しく加熱されることにより、不意に点火された場合、この信管は、手榴弾の爆発をもたらす。図２に示されているような本発明による手榴弾の信管は、このことを防止する。図２における参照符号は、図１における対応する参照符号と同じ意味を有している。
【００２４】
延時薬ホルダ１２に配設されている支持ディスク２１は、仕切りが取り除かれて、延時薬ホルダ１２によって、球状の起爆薬ホルダ１１の平坦部に保持され、起爆薬ホルダ１１が、揺動運動を実行可能にすることを防止している。さらに、スライダ２３、起爆薬ホルダ１１内の管路２４、および、グリップ６の一部品である信管ホルダ２５が設けられている。図１に示されている安全クリップ１は、図２には示されていない。しかしながら、この構成にも安全クリップ１を設けることができる。本発明による手榴弾の信管は、正確には以下のように作動する。
【００２５】
リング３を有する安全ピンが取り除かれた後、保護シュラウド１８は離れ落ちる。一度グリップ６が解放されると、ねじりバネ２によって発生した撃鉄４の位置の変化が、信管ホルダ２５を含むグリップ６を強制的に引き離す。撃鉄４は点火キャップ１６を打って、それを点火させ、その結果として、延時薬１３が起動される。これは、点火キャップから始まり燃え尽きる。図３は、延時薬１３内の火の前部がはんだ点２０に到達する少し前の状態を示している。
【００２６】
図４は、延時薬１３の火の前部がはんだ点２０を通過し、ねじリング１４のはんだが取り除かれた後の状態を示している。この結果、圧力が加えられたらせんバネ５は、撃鉄４の方向に延時薬ホルダ１２全体を移動させる。このため、支持ディスク２１と起爆薬ホルダ１１との間でギャップが開き、起爆薬ホルダ１１の平坦部２６に保持されていた支持ディスク２１による起爆薬ホルダ１１の揺動運動の阻止を停止する。スライダ２３は、圧力が加えられたらせんバネ５の力によって起爆薬ホルダ１１の方向に移動し、これにより、起爆薬ホルダ１１を揺動運動させる。
【００２７】
図５は、起爆薬ホルダ１１内の起爆薬１０の点火の少し前に、延時薬１３が燃え尽きて終わる状態を示している。ここでは、起爆薬ホルダ１１は、作動位置に揺動している。さらに、延時薬が燃え尽きることにより、点火ジェットが発生し、点火ジェットは、支持ディスク２１の穴と管路２４を通って起爆薬を点火する。起爆薬の点火は、伝爆薬を点火させ、その後、ここでは図示していない手榴弾装薬を点火する。
【００２８】
点火キャップ１６が正しく点火されない場合、このことは、伝爆薬の点火をもたらすことはなく、これにより、手榴弾装薬の点火ももたらされない。この場合、上述した点火順序は妨げられない。点火順序が正しくない場合、信管ホルダ２５を含むグリップ６が、図２に示された状態でその元の位置に依然として存在し、これにより延時薬ホルダ１２がその位置を変えることを防止しているからである。従って、支持ディスク２１は、起爆薬ホルダ１１の平坦部２６に保持されて、起爆薬ホルダが作動位置に揺動することを防止している。これは、はんだ点２０が、点火キャップ１６および延時薬１３の点火によってはんだを取り除かれた場合である。延時薬１３から発せられる火炎ジェットは起爆薬に到達しない。火炎ジェットは、手榴弾の信管を取り囲むスリーブ２７に導かれる。それにもかかわらず、起爆薬が、増大した熱のためにしばらくして点火される場合、爆発の間に解放されるエネルギは、同様にして、スリーブに向きを変え、これにより、伝爆薬９に到達することはない。
【００２９】
さらに、提示した延時薬１３が無い場合、または、延時薬１３に欠陥がある場合、起爆薬１０は点火キャップ１６によって直接点火され得ないという点で、本発明による手榴弾の信管の安全性が改善されている。なぜなら、延時薬１３の欠如の結果として、ねじリング１４ははんだを取り除かれることがなく、起爆薬ホルダ１１は作動位置に揺動しないからである。点火キャップ１６からの火炎ジェットは、単にスリーブ２７に導かれる。このことは、延時薬１３が無い場合、または、延時薬１３に欠陥がある場合、手榴弾がすぐに点火されない、すなわち遅延なく点火されないため、重要なことである。
【符号の説明】
【００３０】
１      安全クリップ
２      ねじりバネ
３      リングを有する安全ピン
４      撃鉄
５      らせんバネ
６      グリップ
７      圧縮パン
８      フラップバルブ
９      伝爆薬
１０    起爆薬
１１    起爆薬ホルダ
１２    延時薬ホルダ
１３    延時薬
１４    ねじリング
１５    シールリング
１６    点火キャップ
１７    ハウジング
１８    保護シュラウド
１９    インサート
２０    はんだ点
２１    支持ディスク
２２    起爆薬ホルダ取付部
２３    スライダ
２４    管路
２５    起爆薬ホルダ
２６    平坦部
２７    スリーブ
【図１】
0005507707.tif 000002
【図２】
0005507707.tif 000003
【図３】
0005507707.tif 000004
【図４】
0005507707.tif 000005
【図５】
0005507707.tif 000006